(57)【要約】【課題】気体から環境汚染物質を除去できると共に、運転操作やメンテナンスにかかる手間や費用を低減できる環境汚染物質除去装置および生ゴミ処理装置を提供する。【解決手段】仕切板２６が箱体２５内の空間を前室２７とこの前室２７に連通する後室２８とに仕切っている。前室２７に流入して環境汚染物質を含む気体は、吸引ポンプ４によって、箱体２５に貯留する水に接触させて後室２８に吸引する。箱体２５内の水位は、スイッチを有する水位管理タンクで管理する。遮断ポンプはスイッチ１１の信号に基づいて箱体２５に水を供給する。他の遮断ポンプは箱体２５に貯留されて土埃等で汚濁された汚濁水を、所定時間ごとにまたは汚濁水の汚濁濃度に応じて排出する。【選択図】図２
0003122545.tif 000002
【実用新案登録請求の範囲】
【請求項１】
水を貯留する箱体と、
上記箱体内に設けられて、上記箱体内の空間を前室とこの前室に連通する後室とに仕切る仕切板と、
上記前室に流入して環境汚染物質を含む気体を、上記箱体に貯留する水に接触させて上記後室に吸引する吸引手段と、
上記箱体に接続されて、上記箱体内の水位を検知する水位計を有する水位管理装置と、
上記水位計の信号に基づいて上記箱体に水を供給する水供給手段と、
上記箱体に貯留されて環境汚染物質で汚濁された汚濁水およびスラリーを、再利用するために所定時間ごとに汚濁水の汚濁濃度に応じて排出する汚濁水排出手段と、
上記スラリーを再利用するために所定時間ごとにスラリー濃度に応じて排出するスラリー排出手段と
を備えることを特徴とする環境汚染物質除去装置。
【請求項２】
請求項１に記載の環境汚染物質除去装置において、
上記箱体および上記水位管理装置から環境汚染物質で汚濁された上記汚濁水を、被送給先からの信号に基づいて上記被送給先へ送給する送給手段を備えることを特徴とする環境汚染物質除去装置。
【請求項３】
生ゴミ混練物投入口と熱風排出口とを有する生ゴミ処理槽と、
上記生ゴミ処理槽に設けられて、上記生ゴミ混練物投入口から上記生ゴミ処理槽内に投入された被処理物を撹拌する撹拌装置と、
上記生ゴミ処理槽に設けられて、上記生ゴミ混練物投入口から上記生ゴミ処理槽内に投入された被処理物を加熱するヒータと、
上記生ゴミ処理槽に熱風を供給する熱風発生装置と、
上記熱風排出口から排出された気体が流入すると共に、水を貯留する箱体と、
上記箱体内に設けられて、上記箱体内の空間を前室とこの前室に連通する後室とに仕切る仕切板と、
上記前室に流入して環境汚染物質を含む気体を、上記箱体に貯留する水に接触させて上記後室に吸引する吸引手段と、
上記箱体に接続されて、上記箱体内の水位を検知する水位計を有する水位管理装置と、
上記水位計の信号に基づいて上記箱体に水を供給する水供給手段と、
上記箱体に貯留されて環境汚染物質で汚濁された汚濁水およびスラリーを、再利用するために所定時間ごとに汚濁水の汚濁濃度に応じて排出する汚濁水排出手段と、
上記スラリーを再利用するために所定時間ごとにスラリー濃度に応じて排出するスラリー排出手段と
を備えることを特徴とする生ゴミ処理装置。
【請求項４】
請求項３に記載の生ゴミ処理装置において、
上記生ゴミ混練物投入口近傍に設けられた生ゴミ混練物作製手段と、
上記箱体および上記水位管理装置から環境汚染物質で汚濁された汚濁水を、上記生ゴミ混練物作製手段からの信号に基づいて上記生ゴミ混練物作製手段へ送給する送給手段と
を備えることを特徴とする生ゴミ処理装置。
【考案の詳細な説明】
【技術分野】
【０００１】
この考案は環境汚染物質除去装置および生ゴミ処理装置に関する。
【背景技術】
【０００２】
従来、生ゴミ処理装置としては図４に示すようなものがある。この生ゴミ処理装置１５１は、生ゴミ処理槽１５２と、生ゴミ処理槽１５２の蓋部材１５３と、生ゴミ処理槽１５２に設けられた攪拌装置１５４と、生ゴミ処理槽１５２内に熱風を吹き込む熱風発生器１５５とを備えている。
【０００３】
より詳しくは、上記蓋部材１５３の一方側の端部には、混練機１６０による混練物１６０ａを生ゴミ処理槽１５２内に投入するための投入口１５６が設けられている。また、上記生ゴミ処理槽１５２の他方側の端部における上部側面には、処理済みの生ゴミが排出される排出口１５７が設けられている。そして、上記生ゴミ処理槽１５２の底部にはシートヒータ１５８が設けられている。さらに、上記熱風発生器１５５は、排出口１５７側から、投入口１５６側の排気口１５９と連通する排気装置１６１にむかって熱風が流れるように構成されている。
【０００４】
上記構成の処理装置１５１では、生ゴミ、土、水および処理液が混練機１６０で混合されて、スラリー状の混練物１６０ａが作製される。この混練物１６０ａは混練機シャッタ１６０ｂを経て、投入口１５６から生ゴミ処理槽１５２内に投入されて、攪拌装置１５４で攪拌される。このとき、上記混練物１６０ａは、シートヒータ１５８と、熱風発生器１５５による熱風とで加熱されて、乾燥状態となって排出口１５７から排出される。
【０００５】
このように、上記熱風発生器１５５による熱風で混練物１６０ａを乾燥させるため、排気口１５９から排出される熱風の排気には、乾燥前の混練物１６０ａからの水蒸気と、乾燥後の混練物１６０ａからの土埃とが混ざる。さらに、上記排気には軽度の酸性臭が含まれる。そして、上記排気はそのまま大気中に放出される。
【０００６】
この排気から土埃や酸性臭を取り除くために、ウォーターバス方式の排ガス洗浄装置２００を排気装置１６１にダクトホースを介して連結して、排気を浄化している。
【０００７】
しかしながら、上記排ガス洗浄装置では、排気装置１６１の排気を中性またはアルカリ性の内容水２００ａに吹きあてて浄化しても、防塵・防臭の効果が不完全であるという問題点がある。
【０００８】
また、上記排ガス洗浄装置は、内容水２００ａの水位管理や年間数回の内部清掃などのメンテナンスに手間や費用がかかるという問題点があった。
【０００９】
なお、上述のように、生ゴミを含む混練物を撹拌しながら熱風で加熱して乾燥状態にするゴミ処理装置としては、例えば特許第３６４５１７３号公報に開示されたものがある。
【特許文献１】特許第３６４５１７３号公報
【考案の開示】
【考案が解決しようとする課題】
【００１０】
そこで、この考案の課題は、気体から環境汚染物質を除去できると共に、運転操作やメンテナンスにかかる手間や費用を低減できる環境汚染物質除去装置および生ゴミ処理装置を提供することにある。
【課題を解決するための手段】
【００１１】
上記課題を解決するために、この考案の環境汚染物質除去装置は、
水を貯留する箱体と、
上記箱体内に設けられて、上記箱体内の空間を前室とこの前室に連通する後室とに仕切る仕切板と、
上記前室に流入して環境汚染物質を含む気体を、上記箱体に貯留する水に接触させて上記後室に吸引する吸引手段と、
上記箱体に接続されて、上記箱体内の水位を検知する水位計を有する水位管理装置と、
上記水位計の信号に基づいて上記箱体に水を供給する水供給手段と、
上記箱体に貯留されて環境汚染物質で汚濁された汚濁水およびスラリーを、再利用するために所定時間ごとに汚濁水の汚濁濃度に応じて排出する汚濁水排出手段と、
上記スラリーを再利用するために所定時間ごとにスラリー濃度に応じて排出するスラリー排出手段と
を備えることを特徴としている。
【００１２】
本明細書では、環境汚染物質とは、例えば、土埃や、酸性臭等の臭いを放つ物質を指す。つまり、上記環境汚染物質とは、装置周辺環境に悪影響を及ぼす物質を意味する。
【００１３】
上記構成の環境汚染物質除去装置によれば、上記吸引手段により、箱体に貯留する水にうず流を生じさせ、前室に流入して環境汚染物質を含む気体をうず流の水に巻き込ませて後室に吸引するから、その気体から環境汚染物質を除去できる。この除去により、箱体内の水は汚濁水となり、また箱体の底部にはスラリーが溜まる。
【００１４】
また、上記水位管理装置が箱体内の水位を検知する水位計を有するから、箱体内の水位を水位管理装置で監視できて、水位の維持と管理が自動的に行える。
【００１５】
また、上記水位計の信号に基づいて箱体に水を供給する水供給手段を設けているので、水位を常時所定範囲内に自動的・機械的に保持でき、スラリーの除去作業を自動的に行える。つまり、上記環境汚染物質の除去作業を不要にできる。
【００１６】
また、上記汚濁水排出手段は、箱体に貯留されて環境汚染物質で汚濁された汚濁水を、再利用するために所定時間ごとに汚濁水の汚濁濃度に応じて排出するから、箱体内の水環境が悪化するのを防ぐことができると共に、汚濁水を再利用することができる。
【００１７】
また、上記汚濁水排出手段の排出または自然蒸発によって箱体内の水量が低下しても、箱体内の水位を水位計で検知するから、水位計の信号に基づいて箱体に水を水供給手段で自動的に供給することができる。
【００１８】
また、上記箱体の底部に貯留されたスラリーは、再利用するために、所定時間ごとに汚濁水の汚濁濃度に応じて汚濁水排出手段で排出されると共に、所定時間ごとにスラリー濃度に応じてスラリー排出手段で排出されるので、箱体内の水が著しく汚濁されることがなく、環境汚染物質の除去効率を高めることができ、かつ、スラリーを再利用できる。
【００１９】
上記環境汚染物質で汚濁された汚濁水の排出は、汚濁水排出手段で自動的に行われてもよいし、ユーザによる汚濁水排出手段の操作で行われてもよい。
【００２０】
一実施形態の環境汚染物質除去装置では、
上記箱体および上記水位管理装置から環境汚染物質で汚濁された上記汚濁水を、被送給先からの信号に基づいて上記被送給先へ送給する送給手段を備える。
【００２１】
上記実施形態の環境汚染物質除去装置によれば、上記箱体および水位管理装置から環境汚染物質で汚濁された汚濁水を、被送給先からの信号に基づいて被送給先へ送給手段で送給するから、被送給先で汚濁水を混練用の水等として再利用することができる。
【００２２】
さらに、上記被送給先への汚濁水の送給は被送給先からの信号に基づいて行うので、操作が簡単なり、メンテナンスがほとんど不要になる。
【００２３】
また、上記箱体、仕切板、吸引手段、水位管理装置、水供給手段および汚濁水排出手段は、生ゴミ処理装置に組み込むことができる。
【００２４】
したがって、上記箱体、仕切板、吸引手段、水位管理装置、水供給手段および汚濁水排出手段を備えた生ゴミ処理装置をこの考案とすることができる。
【００２５】
すなわち、この考案の生ゴミ処理装置は、
生ゴミ混練物投入口と熱風排出口とを有する生ゴミ処理槽と、
上記生ゴミ処理槽に設けられて、上記生ゴミ混練物投入口から上記生ゴミ処理槽内に投入された被処理物を撹拌する撹拌装置と、
上記生ゴミ処理槽に設けられて、上記生ゴミ混練物投入口から上記生ゴミ処理槽内に投入された被処理物を加熱するヒータと、
上記生ゴミ処理槽に熱風を供給する熱風発生装置と、
上記熱風排出口から排出された気体が流入すると共に、水を貯留する箱体と、
上記箱体内に設けられて、上記箱体内の空間を前室とこの前室に連通する後室とに仕切る仕切板と、
上記前室に流入して環境汚染物質を含む気体を、上記箱体に貯留する水に接触させて上記後室に吸引する吸引手段と、
上記箱体に接続されて、上記箱体内の水位を検知する水位計を有する水位管理装置と、
上記水位計の信号に基づいて上記箱体に水を供給する水供給手段と、
上記箱体に貯留されて環境汚染物質で汚濁された汚濁水およびスラリーを、再利用するために所定時間ごとに汚濁水の汚濁濃度に応じて排出する汚濁水排出手段と、
上記スラリーを再利用するために所定時間ごとにスラリー濃度に応じて排出するスラリー排出手段と
を備えることを特徴としている。
【００２６】
上記構成の生ゴミ処理装置によれば、上記吸引手段により、箱体に貯留する水にうず流を生じさせ、前室に流入して環境汚染物質を含む気体をうず流の水に巻き込ませて後室に吸引するから、その気体から環境汚染物質を除去できる。
【００２７】
したがって、上記環境汚染物質が環境に排出されるのを防いで環境保全に寄与することができる。なお、上記環境汚染物質の除去により、箱体内の水は汚濁水となり、また箱体の底部にはスラリーが溜まる。
【００２８】
また、上記水位管理装置が箱体内の水位を検知する水位計を有するから、箱体内の水位を水位管理装置で監視できて、水位の維持と管理が自動的に行える。
【００２９】
また、上記水位計の信号に基づいて箱体に水を供給する水供給手段を設けているので、水位を常時所定範囲内に自動的・機械的に保持でき、スラリーの除去作業を自動的に行える。つまり、上記環境汚染物質の除去作業を不要にできる。
【００３０】
また、上記汚濁水排出手段は、箱体に貯留されて環境汚染物質で汚濁された汚濁水を、再利用するために所定時間ごとに汚濁水の汚濁濃度に応じて排出するから、箱体内の水環境が悪化するのを防ぐことができると共に、汚濁水を再利用することができる。
【００３１】
また、上記汚濁水排出手段の排出または自然蒸発によって箱体内の水量が低下しても、箱体内の水位を水位計で検知するから、水位計の信号に基づいて箱体に水を水供給手段で自動的に供給することができる。
【００３２】
また、上記箱体の底部に貯留されたスラリーは、再利用するために、所定時間ごとに汚濁水の汚濁濃度に応じて汚濁水排出手段で排出されると共に、所定時間ごとにスラリー濃度に応じてスラリー排出手段で排出されるので、箱体内の水が著しく汚濁されることがなく、環境汚染物質の除去効率を高めることができ、かつ、スラリーを再利用できる。
【００３３】
また、上記汚濁水およびスラリーを生ゴミ処理槽に排出した場合、汚濁水およびスラリーを生ゴミ処理槽で処理することができるので、汚濁水およびスラリーが環境に排出れるのを防いで環境保全にさらに寄与することができる。
【００３４】
上記環境汚染物質で汚濁されたスラリーの排出は、スラリー排出手段で自動的に行われてもよいし、ユーザによるスラリー排出手段の操作で行われてもよい。
【００３５】
一実施形態の生ゴミ処理装置では、
上記生ゴミ混練物投入口近傍に設けられた生ゴミ混練物作製手段と、
上記箱体および上記水位管理装置から環境汚染物質で汚濁された汚濁水を、上記生ゴミ混練物作製手段からの信号に基づいて上記生ゴミ混練物作製手段へ送給する送給手段と
を備える。
【００３６】
上記実施形態の生ゴミ処理装置によれば、上記箱体および水位管理装置から環境汚染物質で汚濁された汚濁水を、生ゴミ混練物作製手段からの信号に基づいて生ゴミ混練物作製手段へ送給手段で送給するから、生ゴミ混練物作製手段で汚濁水を再利用することができる。
【００３７】
さらに、上記被送給先への汚濁水の送給は被送給先からの信号に基づいて行うので、操作が簡単なり、メンテナンスが容易である。
【考案の効果】
【００３８】
この考案によれば、特に水位管理タンクを設けたので、運転操作が容易でメンテナンスフリーを実現し、給水手段を設けることによって、埃等除去作業の簡素化、効率的な埃の除去を実現できる環境汚染物質除去装置および上記の埃等除去機能を生ゴミ処理装置に付加したので、生ゴミ等を処理した排気から土埃や酸性臭等の環境汚染物質を完全に除去するメンテナンスフリーの生ゴミ処理装置を得ることができる。
【考案を実施するための最良の形態】
【００３９】
図１に、この考案の一実施の形態の環境汚染物質除去装置１の模式図を示す。
【００４０】
上記環境汚染物質除去装置１は、環境汚染物質除去装置本体２と、水位管理装置の一例としての水位管理タンク３と、吸引手段の一例としての吸引ポンプ４と、水供給手段の一例としての遮断ポンプ５と、汚濁水排出手段の一例とスラリー排出手段とを兼ねる遮断ポンプ６と、汚濁水送給手段の一例としての遮断ポンプ７とを備えている。
【００４１】
上記環境汚染物質除去装置本体２は、埃等、外部から埃等を含んだ気体を取り込み、装置内の水にかき混ぜることによって、埃等を水に吸着ろ過して、埃等をと気体とを分離して気体を清浄する装置である。詳細には後述する。
【００４２】
上記水位計管理タンク３は、環境汚染物質除去装置本体２に貯留する水の水位を計測する管理タンクである。上記水位管理タンク３の底部と、後述する環境汚染物質除去装置本体２の液面調整器の排水口３５とが連通管１０で連通している。この連通管１０および上位の連通管１０ａで環境汚染物質除去装置本体２の水位と水位計管理タンク３の水位とを常に同一高さに保持することができる。また、上記水位管理タンク３の内部上端に水位計の一例としてのフロート式のスイッチ１１が設けられ、このスイッチ１１は設定された上限値，下限値の水位を電気的に検知して信号を出力する。
【００４３】
上記吸引ポンプ４は吸引口を有し、この吸引口が環境汚染物質除去装置本体２の上部の内部気体空間部に連結・連通して、内部の濾過された清浄な気体を吸引すると共に、環境汚染物質除去装置本体２にその外部から埃等を含んだ気体を吸引する。上記環境汚染物質除去装置本体２に吸引ポンプ４を設けることで、埃等を含んだ気体を環境汚染物質除去装置本体２に独自に吸引できるので、環境汚染物質除去装置１をどのような場所（送風機能のない場所等）でも運転することができる。上記環境汚染物質除去装置１の運転・停止は、図示しない制御装置の制御ボタンで行われる。
【００４４】
上記遮断ポンプ５は、環境汚染物質除去装置本体２および水位管理タンク３に接続した給水管１２の途中に設けられている。そして、上記遮断ポンプ５は、図示しない水源から清水を吸引し、環境汚染物質除去装置本体２および水位管理タンク３に給水する。また、上記遮断ポンプ５は、図示しない制御装置で、スイッチ１１の低位・高位の信号に基づいて運転・停止を自動制御する。これにより、上記水源から環境汚染物質除去装置本体２への清水の供給が適切かつ自動的に行われる。
【００４５】
上記スイッチ１１を内臓した水位管理タンク３を環境汚染物質除去装置１に設けることで、環境汚染物質除去装置本体２の水位を自動的に計測できると共に、図示しない制御装置で、スイッチ１１からの電気信号に基づいて環境汚染物質除去装置本体２の水量の増減を監視し、給水制御ができる。これにより、上記環境汚染物質除去装置本体２の水位を常に所定範囲内に維持できる。さらに、上記環境汚染物質除去装置１の運転は自動化でき、メンテナンスの省力化が図れる。
【００４６】
上記遮断ポンプ５の上流側の給水管１２には、上流側から順次仕切弁１３、電磁弁１４および流量計１５が設けられている。なお、上記遮断ポンプ５はポンプ機能と弁機能とを兼ね備えたポンプであるので、図１においては弁を設けていないが、遮断ポンプ５に換えて、通常のポンプと電磁弁とを併せ設けることができる。また、上記遮断ポンプ６，７も、遮断ポンプ５と同様に、ポンプ機能と弁機能とを兼ね備えたポンプである。
【００４７】
上記遮断ポンプ６は、環境汚染物質除去装置本体２の底部に連結・連通したドレーン管１６の途中に設けられている。そして、上記遮断ポンプ６は、捕捉された埃等が環境汚染物質除去装置本体２の底部に沈降した埃等を含むスラリー１８を吸引して生ゴミ処理槽５２（図３参照）内に排出する。また、上記遮断ポンプ６は、図示しない制御装置からの信号に基づいて、所定間隔ごとに自動的に運転・停止が行われる。または、上記遮断ポンプ６は、スラリー１８の濃度をまたはそれに代わる値を測定して、その信号を図示しない制御装置に送り、制御装置からの信号に基づいて、その所定に濃度に応じて自動的に運転・停止が行われるようにしてもよい。
【００４８】
上記遮断ポンプ７は送水管１７の途中に設けられていて、スラリー１８と水位管理タンク３の混合水とを混練機６０（図３参照）に送水する。これにより、上記混練機６０でスラリー１８を再利用することができる。また、上記遮断ポンプ７は、給水を必要とする個所の図示しない制御装置からの信号に基づいて運転・停止が行われる。
【００４９】
上記送水管１７は遮断ポンプ６の上流側のドレーン管１６から分岐し、かつ、水位管理タンク３の底部と連結・連通している。
【００５０】
なお、図１において３９は排気口である。
【００５１】
図２に、上記環境汚染物質除去装置本体２の概略断面図を示す。なお、図１と図２とでは、環境汚染物質除去装置本体２の形状が異なっているが、環境汚染物質除去装置本体２の概念を示しているだけであり、環境汚染物質除去装置本体２の形状は例えば丸形状や角形状などであってもよい。
【００５２】
上記環境汚染物質除去装置本体２は、箱体２５と、この箱体２５内の空間と連通する液面調整器３５とを有している。
【００５３】
上記箱体２５は、下端がドレーン管１６に接続される断面Ｖ字形状の底部２１と、この底部２１の上端に接続する上流側壁２２、下流側壁２３、前壁（図示せず）および後壁（図示せず）と、これらの壁の上端に接続する上板２４とで形成されている。
【００５４】
また、上記箱体２５内には、上板２４から底部２１の上縁２１ａ付近まで延在する仕切板２６が設置されている。この箱体２５内の空間は、仕切板２７によって、気体の流入側の前室２７と気体の排気側の後室２８とに仕切られている。この前室２７と後室２８とは互いに連通している。また、上記仕切板２６の下端部（底部２１側の部分）は後室２８側に向かって湾曲している。
【００５５】
上記仕切板２６と下流側壁２３との間には断面逆Ｓ字板２９が設けられている。この断面逆Ｓ字板２９は仕切板２６の下端部とでスクラビング部３０を形成する。このスクラビング部３０の上方には第１の水切り板３１が設けられていて、この第１の水切り板３１は前室２７側の端部が仕切板２６に取り付けられている。上記スクラビング部３０から上昇する気体に含まれる水分は第１の水切り板３１に付着する。この第１の水切り板３１の上方には、第１の水切り板３１と同様の作用効果を奏する第２の水切り板３２が設けられている。この第２の水切り板３２の下流側壁２３側の端部が下流側壁２３に取り付けられている。
【００５６】
上記仕切板２６の下端下には、前室２７の気体が後室２８に流入するために通過するスロート部が形成される。より詳しくは、上記吸引ポンプ４（図１参照）が後室２８の気体を吸引すると、前室２７の気体が仕切板２６の湾曲部の水をスクラビング部３０側に押しやって、仕切板２６の下端と清水３７との間にスロート部となる隙間を形成する。
【００５７】
上記スクラビング部３０では、前室２７から上記スロート部を通って流入した気体が激しく撹拌されて土埃等を含んだ水滴が生じる。
【００５８】
上記上流側壁２２の上方適所には、埃等の環境汚染物質を含む気体を前室２７に流入させるための流入口３３が設けられている。また、上記上流側壁２２には、流入口３３の下方に位置するように給水口３４が設けられている。この給水口３４は箱体２５内に清水を供給する給水口であり、図１に示す給水管１２が接続される。
【００５９】
上記液面調整器３５は下流側壁２３の下端部に接続されている。上記給水口３４から箱体２５に給水された清水は、断面Ｖ字形状の底部２１に貯留し、液面調整器３５の水位調整ゲート３６をオーバーフローするまで貯留される。このとき、上記箱体２５内に貯留した清水３７の水面３８は、仕切板２６の下端が没する高さにある。
【００６０】
上記排気口３９は下流側壁２３の上方適所に設けられていて浄化済みの気体を排出し、吸引ポンプ４が接続される。
【００６１】
図３に、上記環境汚染物質除去装置１を備えた生ゴミ処理装置５１の模式図を示す。
【００６２】
上記生ゴミ処理装置５１は、生ゴミ処理槽５２と、生ゴミ処理槽５２を密封する蓋部材５３と、生ゴミ処理槽５２に設けられた攪拌装置５４と、生ゴミ処理槽５２内に熱風を吹き込む熱風発生器５５とを備える。
【００６３】
上記生ゴミ処理槽５２は、半円形の底板５２ａとその両端の側壁５２ｂ，５２ｃと底板５２ａと両端の側壁５２ｂ，５２ｃを繋ぐ図示しない前壁，後壁とからなる。
【００６４】
上記蓋部材５３は、側壁５２ｂ，５２ｃおよび前壁，後壁の上端に着脱自在に載置されている。そして、上記蓋部材５３の側壁５２ｃに近い部分には生ゴミ混練物投入口の一例としての投入口５６が設けれている。この投入口５６にはドレーン管１６の下流側の端部が臨んでいる（図１参照）。
【００６５】
一方、上記蓋部材５３の側壁５２ｂに近い部分には、熱風発生器５５による熱風を生ゴミ処理槽５２内の空間５２ｄに流入させるための穴５３ａが設けられている。また、上記空間５２ｄを流れた熱風は、投入口５６近傍に設けられた熱風排出口５９から生ゴミ処理槽５２外に排出される。より詳しくは、上記熱風排出口５９から生ゴミ処理槽５２外に排出された熱風は配管７０内を流れて環境汚染物質除去装置１へ向かう。このとき、上記環境汚染物質除去装置１が生ゴミ処理槽５２の上方に配置されていることにより、配管７０には水平部が無いので、配管７０内で埃が堆積するのを防ぐことができる。
【００６６】
上記熱風排出口５９には、環境汚染物質除去装置本体２の流入口３３が接続されている（図２参照）。
【００６７】
上記底板５２ａの裏面には、その全面にわたってヒータの一例としてのシートヒータ５８が設けられている。
【００６８】
上記側壁５２ｂの上部には、処理空間６０ａ，６０ｂ，６０ｃで処理された処理済みの被処理物９０ｂを排出する排出口５７が設けられている。
【００６９】
また、上記生ゴミ処理槽５２には攪拌装置５４が取り付けられている。この攪拌装置５４は、回転軸５４ａ、攪拌羽根５４ｂおよび回転駆動装置５４ｃを有している。
【００７０】
上記回転軸５４ａは、一端部が側壁５２ｂによって回転自在に支持されている一方、他端部が側壁５２ｃによって回転自在に支持されている。上記回転軸５４ａの他端部は側壁５２ｃを貫通している。この回転軸５４ａは回転駆動装置５４ｃにより、回転させられる。
【００７１】
上記攪拌羽根５４ｂは先端が螺旋を描くように回転軸５４ａの周面に設けられている。
【００７２】
上記回転駆動装置５４ｃは回転軸５４ａを回転駆動する。上記回転軸５４ａが回転駆動すると、回転軸５４ａと共に攪拌羽根５４ｂが回転する。これにより、上記処理空間６０ａにある被処理物が、攪拌羽根５４ｂによって撹拌されながら、側壁５２ｃ側から側壁５２ｂ側の処理空間６０ｂ，６０ｃへ移動する。
【００７３】
上記熱風発生器５５は、側壁５２ｂの近傍に位置するように蓋部材５３上に設置されている。上記熱風発生器５５で発生した熱風は、蓋部材５３の穴５３ａを介して生ゴミ処理槽５２内の空間５２ｄに吹き込まれ、蓋部材５３の熱風排出口５９から生ゴミ処理槽５２外に排出される。
【００７４】
また、上記蓋部材５３上には、投入口５６に対向するように混練機６０を設けている。この混練機６０は生ゴミ処理槽５２とは別体であって、生ゴミ、水、土および処理液を混合してスラリー状の生ゴミ混練物９０ａを作製する。この生ゴミ混練物９０ａが処理空間６０ａ，６０ｂ，６０ｃで処理されるべき被処理物である。また、上記混練機６０には、送水管１７の下流側端部が臨んでいる（図１参照）。
【００７５】
上記構成の生ゴミ処理装置５１によれば、混練機６０で作製したスラリー状の生ゴミ混練物９０ａを、混練機シャッタ６０ｂを介して投入口５６から生ゴミ処理槽５２内の空間５２ｄに投入する。そして、上記シートヒータ５８が発生した熱と、熱風発生器５５で発生させた熱風とによって、生ゴミ混練物９０ａを加熱する。さらに、上記処理空間６０ａ，６０ｂ，６０ｃにおいて、生ゴミ混練物９０ａを攪拌装置５４で攪拌する。そうすると、上記生ゴミ混練物９０ａは、側壁５２ｃ側の処理空間６０ａから側壁５２ｂ側の処理空間６０ｃへ移動する。この移動中に、上記生ゴミ混練物９０ａが、時間の経過に伴ってスラリー状態から粘土状態に変化した後、時間の経過に伴って粘土状態から乾燥状態に変化する。このように、上記生ゴミ混練物９０ａが乾燥状態になると、生ゴミを処理できたことになる。
【００７６】
また、上記生ゴミ混練物９０ａは側壁５２ｂ側の処理空間６０ｃで乾燥状態になった後、上記排出口５７から処理済みの被処理物９０ｂとして排出され、例えば土壌改良剤として使用される。
【００７７】
上記熱風発生器５５からの熱風は、内蔵するブロアにより、空間５２ｄを通過することにより、処理空間６０ａ，６０ｂ，６０ｃを移動する生ゴミ混練物９０ａから発生する水蒸気、土埃や酸性臭を含み汚染された気体になる。この汚染された気体は、熱風排出口５９から生ゴミ処理槽５２を出て、図２に示す流入口３３から前室２７に入る。上記前室２７に入った汚染された気体は、吸引ポンプ４の吸引力によって、仕切板２６の湾曲部の水をスクラビング部３０側に押しやってスロート部を形成しつつスクラビング部３０に入る。上記スクラビング部３０において、汚染された気体は、水と渦流を発生して激しく攪拌されて土埃等を含んだ水滴が生じる。この水滴は上昇して第１，第２の水切り板３１，３２に衝突・付着し、箱体２５の底部２１内に貯留した水に吸引される。
【００７８】
こうして埃等を除去された清浄な気体は排気口３９を経て吸引ポンプ４によって大気中に放出される。
【００７９】
上記箱体２５の底部２１内に貯留した水は、土埃等を含むことによって、次第に汚濁されたスラリー１８になる。そこで、このスラリー１８が一定以上の濃度になる時間が経つと自動的に遮断ポンプ６が駆動しまたは連続的に駆動し、ドレーン管１６を介してスラリー１８を生ゴミ処理槽５２に戻す。または、上記スラリー１８の濃度を測定して、その信号を図示しない制御装置に送り、制御装置からの信号に基づいて、その所定に濃度に応じて自動的に遮断ポンプ６の運転・停止が行われるようにしてもよい。こうすることで、埃等を大気中に放出することなく、栄養土として再利用することができる。
【００８０】
上記スラリー１８を箱体２５の底部２１から排出すると、底部２１内の水面３８が低下するので、その水面３８の高さがスイッチ１１に設定した下限値になると、スイッチ１１が信号を発し、電磁弁１４が開になると共に、遮断ポンプ５が駆動し、環境汚染物質除去装置本体２および水位管理タンク３に清水がスイッチ１１に設定した上限値になるまで供給される。
【００８１】
上記スイッチ１１が設定された上限値を検知すると、スイッチ１１が信号を発し、電磁弁１４が閉になると共に、遮断ポンプ５が停止する。さらに、上記遮断ポンプ７を上記混練機６０から発せられる信号に基づいて上記遮断ポンプ７を運転することによって、スラリー１８および水位管理タンク３の混合水が混練機６０に送水され、生ゴミ混練物９０ａを作製するために必要な水として利用される。上記スラリー１８だけを送水するようにしてもよい。こうして、スラリー１８を再利用する。上記混練機６０が運転停止する前に、遮断ポンプ７も停止する。これら遮断ポンプ７と混練機６０の運転停止は図示しない制御装置によって行われる。
【００８２】
なお、上記環境汚染物質除去装置１の初期注水は、図１に示すように、ドレーン弁１６ａを手動で閉にすると共に、仕切弁１３を開にした後、図示しない制御装置における環境汚染物質除去装置本体２の運転ボタンを押すと、電磁弁１４が開き、吸引ポンプ４が始動すると共に、遮断ポンプ５も始動する。
【００８３】
上記吸引ポンプ４が始動することによって、環境汚染物質除去装置本体２の後室２８、前室２７および生ゴミ処理装置５１の空間５２ｄの気体が吸引される。つまり、上記空間５２ｄの気体が、環境汚染物質除去装置本体２の前室２７および後室２８を順次通過して吸引ポンプ４に向かう。
【００８４】
上記遮断ポンプ５を始動することによって、水道等の水源から清水が吸引され、給水管１２を介して箱体２５の底部２１上の空間部と水位管理タンク３に給水される。このとき、上記環境汚染物質除去装置本体２の液面調整器の排水口３５と水位管理タンク３の底部とが連通管１０で連通すると共に、環境汚染物質除去装置本体２と水位計管理タンク３の上部とが連通管１０ａで連通しているので、環境汚染物質除去装置本体２内の水位と水位計管理タンク３内の水位とが同一水位で上昇する。
【００８５】
上記水位計管理タンク３内の水位はスイッチ１１で検知され、設定された上限値をスイッチ１１が検知すると信号を発し、遮断ポンプ５が自動的に停止し、電磁弁１４が自動的に閉じる。
【００８６】
上記生ゴミ処理装置５１においては、生ゴミ、土、水、処理液を略１：０．５：０．３：０．０３の割合で混練機６０に投入し、十分に混合・混練して、スラリー状の生ゴミ混練物９０ａを作製し、この生ゴミ混練物９０ａを投入口５６を介して生ゴミ処理槽５２内の空間５２ｄに投入する。
【００８７】
なお、上記仕切弁１３および上記ドレーン弁１６ａは、上記環境汚染物質除去装置１内の水が凍結する恐れのあるときに、水を予め抜くためにも使用する。
【図面の簡単な説明】
【００８８】
【図１】図１はこの考案の一実施形態の環境汚染物質除去装置の模式図である。
【図２】図２は環境汚染物質除去装置本体の断面図である。
【図３】図３は上記環境汚染物質除去装置を備えた生ゴミ処理装置の模式図である。
【図４】図４は従来の生ゴミ処理装置の模式図である。
【符号の説明】
【００８９】
１  環境汚染物質除去装置
２  環境汚染物質除去装置本体
３  水位管理用タンク
４  吸引ポンプ
５  遮断ポンプ
６  遮断ポンプ
７  遮断ポンプ
１１  スイッチ
１８  スラリー
２６  仕切板
２９  断面逆Ｓ字板
３０  スクラビング部
３１  第１の水切り板
３２  第２の水切り板
５１  生ゴミ処理装置
５２  生ゴミ処理槽
５４  攪拌装置
５５  熱風発生器
【図１】
0003122545.tif 000003
【図２】
0003122545.tif 000004
【図３】
0003122545.tif 000005
【図４】
0003122545.tif 000006